(57)【特許請求の範囲】
【請求項１】
平行に配した両脚板の中央部間であって上端が該脚板の上端よりも低く設定した幕板を連結して平面視Ｈ字形の基本フレームを構成し、該基本フレームに展示用オプションを着脱可能に取付けてなる展示装置であって、前記幕板の上端に載置板の下面中央部を載支固定するとともに、載置板の両端縁を両脚板間に着脱可能に連結し、該載置板には幕板を挟んだ前後部に開口を設けたことを特徴とする展示装置。
【請求項２】
前記載置板の前後縁には突縁を形成するとともに、上面に底面板を敷設してなる請求項１記載の展示装置。
【請求項３】
前記載置板の上面と前記両脚板間の空間部を利用して透明ケースを形成すべく、前記両脚板の対向面であって両縁部に形成した一対の縦溝に透明側板の両端縁を落とし込み嵌合するとともに、該透明側板の下端を前記載置板に固定し、前記透明側板と脚板の上端を略面一に設定し、両脚板と両透明側板の上端に亘って透明上面板を載置固定してなる請求項１又は２記載の展示装置。
【請求項４】
前記載置板の上面と前記両脚板間の空間部を利用して透明ケースを形成すべく、前記載置板の上面と前記両脚板間の空間部に、底面が開放した二つ割り透明ケースの下部を嵌合し、少なくとも該分割透明ケースの側面と前記脚板及び両分割透明ケースの上端面間を連結してなる請求項１又は２記載の展示装置。
【発明の詳細な説明】
【０００１】
【発明の属する技術分野】
本発明は、展示装置に係わり、更に詳しくは基本構造のフレームを用いて多様な展示形態を実現できる展示装置に関するものである。
【０００２】
【従来の技術】
従来、ベース台の上に透明ケースを設けた構造の展示装置は各種提供され、美術館や博物館を始めとし、商店等の展示ケースとして広く使用されている。
【０００３】
例えば、特許第２８８００７６号公報には、折り畳み可能な角筒状ケースの状面に天板を嵌合して展示台を構成し、該天板の上面周辺部に沿って形成した溝に、４枚の透明板の下端部を嵌合するとともに、各透明板の縦方向端部を互いにアングル材で連結し、天井板の下面周辺部に沿って形成した溝に前記各透明板の上端部を嵌合して透明ケースを形成した構造の折り畳み可能な展示ケースが提供されている。
【０００４】
前述の展示ケースは、確かに組立てと分解が可能であり、分解時には嵩低くすることができるが、強度的に問題があるばかりでなく、構成態様が限定されており、多様な展示物に対応できないといった問題がある。
【０００５】
【発明が解決しようとする課題】
本発明が前述の状況に鑑み、解決しようとするところは、組立てが簡単であるとともに、必要最小限の展示用オプションを追加することにより展示物に応じた構成態様にすることが可能であり、また強度的にも優れた展示装置を提供する点にある。
【０００６】
【課題を解決するための手段】
本発明は、前述の課題解決のために、平行に配した両脚板の中央部間であって上端が該脚板の上端よりも低く設定した幕板を連結して平面視Ｈ字形の基本フレームを構成し、該基本フレームに展示用オプションを着脱可能に取付けてなる展示装置であって、前記幕板の上端に載置板の下面中央部を載支固定するとともに、載置板の両端縁を両脚板間に着脱可能に連結し、該載置板には幕板を挟んだ前後部に開口を設けてなることが好ましい。
【０００７】
更に、前記載置板の前後縁には突縁を形成するとともに、上面に底面板を敷設してなるのである。
【０００８】
具体的には、前記載置板の上面と前記両脚板間の空間部を利用して透明ケースを形成すべく、前記両脚板の対向面であって両縁部に形成した一対の縦溝に透明側板の両端縁を落とし込み嵌合するとともに、該透明側板の下端を前記載置板に固定し、前記透明側板と脚板の上端を略面一に設定し、両脚板と両透明側板の上端に亘って透明上面板を載置固定した。
【０００９】
また、前記載置板の上面と前記両脚板間の空間部を利用して透明ケースを形成すべく、前記載置板の上面と前記両脚板間の空間部に、底面が開放した二つ割り透明ケースの下部を嵌合し、少なくとも該分割透明ケースの側面と前記脚板及び両分割透明ケースの上端面間を連結した。
【００１０】
【発明の実施の形態】
次に本発明の実施の形態を添付図面に基づき更に詳細に説明する。図１〜図６は、本発明の展示装置の第１実施形態を示し、図７〜図１１は本発明の第２実施形態を示し、図中符号Ａは基本フレーム、Ｂは展示用オプション、１は脚板、２は幕板、３は載置板、４は透明ケースをそれぞれ示している。
【００１１】
本発明に係る展示装置は、平行に配した両脚板１，１の中央部間であって上端が該脚板１の上端よりも低く設定した幕板２を連結して平面視Ｈ字形の基本フレームを構成し、該基本フレームＡに展示用オプションＢを着脱可能に取付けて構成する。更に、前記幕板２の上端に載置板３の下面中央部を載支固定するとともに、載置板３の両端縁を両脚板１，１間に着脱可能に連結している。
【００１２】
そして、前記展示用オプションＢとしては、複数の透明板部材を組み合わせて構成した透明ケース４が最も好ましい例として挙げることができる。この透明ケース４を、前記基本フレームＡを構成する載置板３の上面と前記両脚板１，１間の空間部に嵌合し且つ連結する態様、あるいは両脚板１，１と幕板２のみからなる基本フレームＡの場合には、透明ケース４を幕板２の上端に載置し、適宜下面を連結するとともに、両脚板１，１間に透明ケース４を連結し、両脚板１，１を透明ケース４を介して一体化した態様がある。
【００１３】
先ず、本発明の展示装置の第１実施形態を図１〜図５に基づき説明する。本実施形態の展示装置は、平型のいわゆる覗き込みタイプのものである。前記脚板１は、前後縁の内側部をカットして傾斜縁５，５を形成した平面視略台形状のものであり、内側面の上部であって前記傾斜縁５，５より中央寄り位置に一対の縦溝６，６を形成し、下端面の前後にはアジャスター７，７が設けられている。また、前記脚板１の上端面には、略同形の化粧カバー８が着脱自在に取付けられるようになっている。
【００１４】
前記幕板２は、前記脚板１，１の前後中央部間に適宜な連結手段を用いて着脱可能に連結し、両脚板１，１とで平面視略Ｈ字形の基本フレームＡを構成するのである。尚、２枚の前記幕板２，２を間隔を置いて並設することも、また前後の厚みが厚い箱状の幕板２を用いることも本発明の範疇であり、要は両脚板１，１と単又は２枚の幕板２とで平面視略Ｈ字形になれば良いのである。
【００１５】
前記載置板３は、前記脚板１の傾斜縁５，５を除く内側面の幅と略同じ横幅を有し、前記幕板２の上端に下面中後部を載支固定するとともに、両端縁を両脚板１，１間に着脱可能に連結する。ここで、前記載置板３の前後縁には、突縁９，９を形成するとともに、幕板２を挟んだ底面前後部には開口１０，１０を形成している。
【００１６】
前記透明ケース４は、本実施形態では複数の透明板部材を組み合わせて構成している。即ち、前記載置板３の前後部に立設する透明側板１１，１１と、両脚板１，１と両透明側板１１，１１の上端に亘って載置固定する透明上面板１２とから構成され、更に両脚板１，１と両透明側板１１，１１とで囲まれる内部底面には、底面板１３を載置板３上に敷設している。
【００１７】
さらに詳しくは、前記透明側板１１の両端縁に前記縦溝６に上下方向からスライド係合する係合縁１１Ａ，１１Ａを形成するとともに、下縁に前記載置板３の上面にネジ止めするための固定片１１Ｂを展示空間内方へ直角に延設して形成している。そして、前記透明側板１１の両端縁の係合縁１１Ａ，１１Ａを、前記両脚板１，１の対向面であって両縁部に形成した一対の縦溝６，６に落とし込み嵌合するとともに、該透明側板１１の下端の固定片１１Ｂを前記載置板３の上面に当接し且つ前記突縁９の内面に該透明側板１１の下端を当接した状態で、当該固定片１１Ｂを載置板３の上面にネジ止めして固定する。ここで、ネジ止めするために、載置板３の所定位置にオニメナットを埋設しておくことが、組立て分解を繰り返す場合には望ましい。
【００１８】
そして、両脚板１，１と両透明側板１１，１１とで囲まれる載置板３上に、下面に脚台１４，１４を有する底面板１３を載置する。この底面板１３によって、前記両透明側板１１，１１の固定片１１Ｂ，１１Ｂは隠蔽される。また、前記載置板３と底面板１３との間には、脚台１４，１４の存在によって空間が形成され、該空間は前記開口１０，１０に連通し、展示空間の通気性を確保している。
【００１９】
それから、前記透明側板１１と脚板１の上端は略面一になるように設定されており、該透明側板１１，１１と脚板１，１の上端面の一部に亘って前記透明上面板１２を載置し、更に該透明上面板１２の両端縁を脚板１の上端面に取付けた押え金具１５，１５で移動不能となるように固定している。当然ではあるが、前記透明側板１１の上動は透明上面板１２で規制される。そして、前記脚板１の上端面には、前記化粧カバー８を着脱自在に取付けるが、この化粧カバー８の下面一部には前記透明上面板１２を固定した押え金具１５を収容できる切欠部１６が形成されており、押え金具１５と該押え金具１５を脚板１に固定するネジ１７，…を隠蔽している。また、前記化粧カバー８を脚板１の上端面に着脱自在に取付ける構造として、本実施形態ではマグネットキャッチ１８による引付けと、ダボ１９と係合穴２０の凹凸係合構造による横移動規制を採用している。尚、前記透明側板１１を脚板１の上端より若干低く設定しておき、透明側板１１と透明上面板１２とを合成樹脂製の型材で連結するようにしても好ましい。更に、一方の透明側板１１は内面に色付きのバック板を装着したり、透明側板１１そのものを不透明のバック板とすることも変形例として挙げることができる。
【００２０】
尚、前記脚板１と幕板２との突合せ連結構造及び幕板２と載置板３との突合せ連結構造、更には脚板１と載置板３との突合せ連結構造は、図５に示すような公知の同じ引付手段を採用している。つまり、一方の部材の接合面にはオニメナット２１を埋設し、他方の部材の端面には内部方向へ挿通孔２２を形成するとともに、該部材の表面に開口し、前記挿通孔２２に連通する円形孔２３を形成しておき、前記オニメナット２１に連結ピン２４の螺軸２４Ａを螺合した状態で、該連結ピン２４を挿通孔２２に通してその係止頭部２４Ｂを円形孔２３に臨ませ、そして回転連結具２５を円形孔２３に挿入するとともに、内部に前記係止頭部２４Ｂを受け入れ、該回転連結具２５を回転して偏心傾斜縁２５Ａで係止頭部２４Ｂを引き付け、もって両部材を連結するのである。
【００２１】
また、図６は、第1実施形態の変形例であるが、横幅が図1に示したものより狭く、展示ケース４が平面視略正方形となっている以外は、前記同様であるので、同一構成には同一符号を付してその説明は省略する。
【００２２】
このように、本実施形態の展示装置は、組立て分解が容易であるが、最も困難であるのが、底面板１３を脚板１，１と透明側板１１，１１で囲まれた展示空間から引き上げる操作である。これに関しては、本実施形態では、前記載置板３に開口１０を設けているので、前記底面板１３を上方から持てるようになるまで該開口１０を通して下方から底面板１３を押し上げることができるようにしている。また、前記開口１０，１０は、幕板２を挟んで前後部に設けているので、展示装置の前後一方が塞がっている場合でも前述の操作を容易にでき、また右利き、左利きの場合にも対応できるようになっている。また、幕板２は前後中央部にあって十分に後退位置に設定しているので、車椅子に乗ったまま接近することが可能であり、また両脚板１，１の内面側縁部は、前述のように傾斜縁５，５となっているので、車椅子の受け入れもスムーズにできるのである。更に、展示装置を横に接近させて設置した場合、互いの展示装置の両脚板１，１が重なるが、前記傾斜縁５，５の存在によって板厚が薄く見えるので意匠的にスリムな感じを出すことができる。
【００２３】
また、前記透明側板１１と透明上面板１２は、アクリル板等の合成樹脂板を用いているが、横幅が長くなると透明側板１１の中央部が内外へ撓み易くなるが、本実施形態では下端縁に沿って固定片１１Ｂを設けているので、変形を防止できる。尚、前記固定片１１Ｂは、透明側板１１と一体でも、別体で接着しても良い。更に、前記透明上面板１２を外し、展示空間を開放状態で使用することも可能であり、その場合にも前記化粧カバー８を脚板１の上端面に取付けることができるので、外観性において全く問題がない。
【００２４】
次に、本発明の第２実施形態を図７〜図１１に基づいて説明する。本実施形態の展示装置は、背の高い展示物を収容するいわゆる行灯型のものである。本実施形態の場合も基本フレームＡは、第1実施形態の場合と同様であり、異なる点は基本フレームＡに展示オプションＢとしての展示ケース４を固定する構造である。本実施形態の展示装置は、前記載置板３の上面と前記両脚板１，１間の空間部に、底面が開放した二つ割り透明ケース４の下部を嵌合し、少なくとも該分割透明ケース４Ａ，４Ｂの側面と前記脚板１及び両分割透明ケース４Ａ，４Ｂの上端面間を連結してなるものである。
【００２５】
更に詳しくは、前記透明ケース４は、分割透明ケース４Ａ，４Ｂを接合して構成したものであり、各分割透明ケース４Ａ，４Ｂは、４枚の透明板２６，…を接着し、下方及び一側方を開放した箱型に形成している。そして、各分割透明ケース４Ａ，４Ｂの開放側面部同士を帯状の連結材２７を用いて目地を塞ぎ、それぞれ脚板１と連結金具２８，２８で連結するとともに、上面同士を連係具２９，２９で連結する。本実施形態の基本フレームＡは、第１実施形態のものを共用することが可能であり、その場合には脚板１の縦溝６は使用しない。また、本実施形態の底面板１３は、脚台１４がない単純な平板状のものを使用し、前記載置板３の突縁９，９間に載置した状態で、該底面板１３よりも突縁９，９が上方に突出するように設定し、前記分割透明ケース４Ａ，４Ｂを接合状態で載置した際に、両突縁９，９で分割透明ケース４Ａ，４Ｂが前後に移動しないようにしている。尚、本実施形態の場合、前記底面板１３を載置板３の上面にネジ止めすることも好ましい。
【００２６】
先ず、前記連結金具２８は、図９及び図１０に示すように、垂直片２８Ａと水平片２８Ｂからなる断面略Ｌ字形のアングル材であり、垂直片２８Ａの外角側の側面に突起２８Ｃ，２８Ｃを突設したものである。また、前記分割透明ケース４Ａ，４Ｂの側面下部には、前記突起２８Ｃ，２８Ｃが係合する係合孔３０，３０が予め形成されている。そして、前記分割透明ケース４Ａ，４Ｂを載置板３上の所定位置に嵌合した状態で、側方から連結金具２８の突起２８Ｃ，２８Ｃを前記係合孔３０，３０に係合した後、水平片２８Ｂを脚板１の上端面にネジ３１で固定する。ここで、該ネジ３１を螺合する部分は、第１実施形態の押え金具１５を固定するためにネジ１７を螺合する部分と共通としている。つまり、図示しないが、脚板１の上端面の前後部に予めオニメナットが埋設されている。このように、連結金具２８で分割透明ケース４Ａ，４Ｂを脚板１，１に固定した後、該連結金具２８は前記同様の化粧カバー８を所定位置に取付けることによって、図９に示すように略全体が隠蔽される。
【００２７】
次に、前記各分割透明ケース４Ａ，４Ｂの上面同士を連結する前記連係具２９は、図１１に示すように、細長い扁平板片２９Ａの両端部下面に連結金具２８と同様な突起２９Ｂ，２９Ｂを突設したものである。そして、前記各分割透明ケース４Ａ，４Ｂの上面には、前記突起２９Ｂが係合する係合孔３１がそれぞれ形成されている。そして、互いに接合した状態の分割透明ケース４Ａ，４Ｂの接合線を横切って当該連係具２９を配し、各突起２９Ｂ，２９Ｂを分割透明ケース４Ａの係合孔３１と分割透明ケース４Ｂの係合孔３１に上方から係合して互いに離れないようにしている。
【００２８】
また、前記連結材２７は、図１１に示すように断面略Ｈ字形の合成樹脂製の型材であり、各係合溝２７Ａにそれぞれ分割透明ケース４Ａ，４Ｂの接合端部を嵌合するのである。
【００２９】
本実施形態の展示装置は、例えば展示ケース４の上端までの高さが約１７００ｍｍ、展示ケース４そのものの高さが約９００ｍｍとなっている。そして、展示物としては当然に背の高いものが想定され、仮に高さが７００ｍｍとした場合、展示物を底面板１３の上に置いた状態で、その上から展示ケース４を被せようとすると、天井の高さが２３００〜２４００ｍｍ以上なければならないが、本実施形態の展示ケース４は、前後に分割したものであり、載置板３上へ前後方向から載置できるので、天井が低くても余裕をもって組立てることができ、天井の高さに事実上制約がない。
【００３０】
また、本実施形態の展示ケース４は、前後中央部で同一形状となるように分割し、各分割透明ケース４Ａ，４Ｂは、平面視長方形となっているが、対角線で分割し平面視三角形となしても構わない。分割透明ケース４Ａ，４Ｂが、平面視三角形の場合には、側面における互いの接合縁がコーナー部になるので、視線を遮ることになる前記連結材２７もコーナー部のみとなるので好ましい。しかし、脚板１への連結構造を変更しなければ、各分割透明ケース４Ａ，４Ｂは一方の脚板１のみに連結されることになるので、強度の面では前述のものより若干低下することは避けられない。
【００３１】
最後に、本発明の展示装置の他の実施形態を図１２〜図１５に基づいて簡単に説明する。この場合も、両脚板１，１、幕板２及び載置板３からなる基本フレームＡは前記同様である。尚、前記載置板３には底面板１３を装着して、前記開口１０を塞いでおく必要はあるが、開口１０が存在しない場合には底面板１３は省略することが可能である。図１２は、基本フレームＡのみからなる開放型の展示装置であり、載置板３（底面板１３）の上面に安価な展示物を単に載置するだけである。図１３は、展示オプションＢとして脚板１（化粧カバー８を装着した状態）と同一高さのローバックパネル３２を載置板３の後縁で両脚板１，１の傾斜縁５，５間に設けた展示装置である。図１４は、図１３の展示装置に加えて、他の展示オプションＢとしてローバックパネル３２の上部前面に蛍光灯３３を設けた展示装置である。また、図１５は、展示オプションＢとして脚板１より十分に背の高いハイバックパネル３４を前記同様に設けた展示装置である。また、図１３や図１５の構造は、第１実施形態に付加することも可能である。
【００３２】
このように、本発明に係る展示装置は、共通の基本フレームＡを用い、それに各種の展示オプションＢを追加することによって多様な展示物に対応でき、しかも組立て分解が簡単にできるので、展示場所の移動や展示装置の保管が容易であり、また分解時に嵩張らないのである。
【００３３】
【発明の効果】
以上にしてなる請求項１に係る発明の展示装置は、平行に配した両脚板の中央部間であって上端が該脚板の上端よりも低く設定した幕板を連結して平面視Ｈ字形の基本フレームを構成し、該基本フレームに展示用オプションを着脱可能に取付けてなる展示装置であって、前記幕板の上端に載置板の下面中央部を載支固定するとともに、載置板の両端縁を両脚板間に着脱可能に連結し、該載置板には幕板を挟んだ前後部に開口を設けてなるので、構造が簡単であるにも係わらず、基本フレームの強度が高く、また載置板を利用して更に多様な構成態様を実現でき、必要最小限の展示用オプションを追加することにより展示物に応じた構成態様にすることができ、また前記開口によって展示空間の通気性を確保することができる。また、幕板は前後中央部にあって十分に後退位置に設定しているので、車椅子に乗ったまま接近することが可能である。
【００３４】
請求項２によれば、載置板の前後縁に形成した突縁の間の上面に底面板を敷設しても、底面板を上方から持てるようになるまで該載置板の開口を通して下方から底面板を押し上げることができるので、容易に底面板を引き上げることができる。
【００３５】
請求項３によれば、覗き込みタイプの平型の展示ケースを簡単に構成することができ、しかも展示ケースが基本フレームと一体化するので、最も一体感のある展示装置となる。
【００３６】
請求項４によれば、背の高い行灯型の展示装置を構成することができ、しかも展示物の背が高くても展示ケースの組立て、その内部に展示物を収容することが容易にできるのである。
【図面の簡単な説明】
【図１】  第１実施形態の展示装置の全体斜視図である。
【図２】  同じく分解斜視図である。
【図３】  要部の中央縦断側面図である。
【図４】  要部の縦断正面図である。
【図５】  幕板と載置板の連結構造を示す部分斜視図である。
【図６】  第１実施形態の変形例を示す斜視図である。
【図７】  第２実施形態の展示装置の全体斜視図である。
【図８】  同じく分解斜視図である。
【図９】  要部の縦断正面図である。
【図１０】  分割展示ケースの脚板への連結構造を示す部分分解斜視図である。
【図１１】  分割展示ケース同士の上部連結構造を示す部分分解斜視図である。
【図１２】  第３実施形態を示す斜視図である。
【図１３】  第４実施形態を示す斜視図である。
【図１４】  第５実施形態を示す斜視図である。
【図１５】  第６実施形態を示す斜視図である。
【符号の説明】
Ａ  基本フレーム
Ｂ  展示用オプション
１  脚板
２  幕板
３  載置板
４  透明ケース
４Ａ，４Ｂ  分割透明ケース
５  傾斜縁
６  縦溝
７  アジャスター
８  化粧カバー
９  突縁
１０  開口
１１  透明側板
１１Ａ  係合縁
１１Ｂ  固定片
１２  透明上面板
１３  底面板
１４  脚台
１５  押え金具
１６  切欠部
１７  ネジ
１８  マグネットキャッチ
１９  ダボ
２０  係合穴
２１  オニメナット
２２  挿通孔
２３  円形孔
２４  連結ピン
２５  回転連結具
２６  透明板
２７  連結材
２８  連結金具
２９  連係具
３０  係合孔
３１  係合孔
３２  ローバックパネル
３３  蛍光灯
３４  ハイバックパネル
【図１】
0003850644.tif 000002
【図２】
0003850644.tif 000003
【図３】
0003850644.tif 000004
【図４】
0003850644.tif 000005
【図５】
0003850644.tif 000006
【図６】
0003850644.tif 000007
【図７】
0003850644.tif 000008
【図８】
0003850644.tif 000009
【図９】
0003850644.tif 000010
【図１０】
0003850644.tif 000011
【図１１】
0003850644.tif 000012
【図１２】
0003850644.tif 000013
【図１３】
0003850644.tif 000014
【図１４】
0003850644.tif 000015
【図１５】
0003850644.tif 000016